(57)【要約】【課題】かしめ強度を向上し、回転方向に緩み難くする【解決手段】同軸ケーブル接栓１０の基端に設けたフランジ部１６が挿入される円形の取付孔３を端子パネル２に形成する。取付孔３の周囲に円弧帯状のかしめ片１５を軸対称位置に一対突設する。かしめ片１５の両端部を取付孔３の中心に対してなす角度θ１が略９０°となる位置に規定する。フランジ部１１に同軸ケーブル接栓１０の基端を取付孔３から頭出しした状態で挿入止めすると共に端子パネル２に接合する挿入止め部１１を延設する。挿入止め部１１の両端部を孔中心に対してなす角度θ２が略９０°となる位置に規定する。かしめ片１５の両端部を挿入止め部１１の両端部に係合させてかしめ片１５をフランジ部１６にかしめる。【選択図】        図１
2004227912.tif 000002
【特許請求の範囲】
【請求項１】
端子パネルに同軸ケーブル接栓の取付孔を形成し、
前記取付孔の周囲に円弧帯状のかしめ片を突設し、
同軸ケーブル接栓の基端に前記取付孔に挿入されるフランジ部を設け、
前記フランジ部に、端子パネルに当接し同軸ケーブル接栓の基端を取付孔から頭出しした状態で挿入止めする挿入止め部を延設し、
前記フランジ部にかしめ片をかしめて同軸ケーブル接栓を端子パネルに対して軸線方向に締着すると共に、
前記挿入止め部とかしめ片との当接により、同軸ケーブル接栓を端子パネルに対して軸線周りで回転止めしたことを特徴とする同軸ケーブル接栓の取付構造。
【請求項２】
かしめ片を取付孔の軸対称位置に一対設け、かしめ片の両端部を取付孔の中心に対してなす角度が略９０°となる位置に規定してなる
請求項１に記載の同軸ケーブル接栓の取付構造。
【発明の詳細な説明】
【０００１】
【発明の属する技術分野】
本発明は、同軸ケーブル接栓の取付構造に関する。
【０００２】
【従来の技術】
従来の同軸ケーブル接栓の取付構造として、特許文献１に記載されたものが知られている。これは、同軸ケーブル接栓に端子パネルに接合するフランジ部を設け、フランジ部に取付孔に挿入されるかしめ片を突設し、かしめ片を端子パネルにかしめて同軸ケーブル接栓を軸線方向に締着して抜け止めし、また、フランジ部の係合部と端子パネルの係止部との係合により端子パネルに対し同軸ケーブル接栓を軸線回りで回転止めするものである。
【０００３】
【特許文献１】
特開２００２−２１６９１７号公報
【０００４】
【発明が解決しようとする課題】
しかし、従来の同軸ケーブル接栓はダイカスト等の低靱性の導電材料で形成されるため、フランジ部に一体形成されたかしめ片はかしめ処理の際に折れ易く、かしめ強度が弱くなる問題があった。また特許文献１の段落００１４に記載された第二実施形態において、フランジ部の係合孔に貫通させて回転止めする一対の係止突起は、単に細長の棒状体として端子パネルから曲げ起こして形成されたものであり、側方から加えられる外力によって倒れ易くなるため、同軸ケーブル接栓が回転方向に緩みやすい問題があった。
【０００５】
こうした問題に鑑み、本発明は、かしめによる同軸ケーブル接栓の取付構造において、かしめ強度を向上すると共に回転方向に緩み難くすることを課題とする。
【０００６】
【課題を解決するための手段】
上記の課題を解決するため、請求項１の発明による同軸ケーブル接栓の取付構造は、端子パネルに同軸ケーブル接栓の取付孔を形成し、前記取付孔の周囲に円弧帯状のかしめ片を突設し、同軸ケーブル接栓の基端に前記取付孔に挿入されるフランジ部を設け、前記フランジ部に、端子パネルに当接し同軸ケーブル接栓の基端を取付孔から頭出しした状態で挿入止めする挿入止め部を延設し、前記フランジ部にかしめ片をかしめて同軸ケーブル接栓を端子パネルに対して軸線方向に締着すると共に、前記挿入止め部とかしめ片との当接により、同軸ケーブル接栓を端子パネルに対して軸線周りで回転止めするように構成される。
【０００７】
請求項２の発明による同軸ケーブル接栓の取付構造は、かしめ片を取付孔の軸対称位置に一対設け、かしめ片の両端部を取付孔の中心に対してなす角度が略９０°となる位置に規定して構成される。
【０００８】
【発明の実施の形態】
以下に、本発明の実施の形態を図面に基づいて説明する。尚、各図中の同一又は類似する構成要素には同一の符号を付す。図１（ａ）〜（ｄ）に示すように、同軸ケーブル接栓１０は、外部導体である円筒形状の同軸ケーブル接続部１２と中心導体２２との間に絶縁体２１を配置した同軸構造を有し、同軸ケーブル接続部１２の基端に端子パネル２の取付孔３に挿入される円板状のフランジ部１６を設け、フランジ部１６に、端子パネル２に当接し同軸ケーブル接栓１０の基端を取付孔３から頭出しした状態で挿入止めする挿入止め部１１を延設して構成されている。また、同軸ケーブル接続部１２、フランジ部１６及び挿入止め部１１は、例えば亜鉛ダイカストを材料として一体成形されている。同軸ケーブル接続部１２の筒回りには、Ｆ型同軸ケーブルコネクタ（図示略）が接続されるネジ山が刻設されている。
【０００９】
端子パネル２には、例えば鋼板が材料として用いられ、同軸ケーブル接栓１０のフランジ部１６が挿入される円形の取付孔３が形成されている。取付孔３の孔径は、フランジ部１６の円径と略等しくなっている。取付孔３の周囲には、端辺に沿って円弧帯状のかしめ片１５が軸対称位置に一対突設されている。かしめ片１５の両端部は、取付孔３の中心に対してなす角度θ１が略９０°となる位置に規定されている。この位置規定角度θ１によって、かしめ片１５の帯長さは、取付孔３の全周長さの略４分の１の長さとなるように形成されている。
【００１０】
一方、フランジ部１６には、同軸ケーブル接栓１０を挿入止めする挿入止め部１１が軸対称位置に放射方向に一対延設されている。夫々の挿入止め部１１の両端部は、孔中心に対してなす角度θ２が略９０°となる位置に規定されている。この位置規定角度θ２によって、かしめ片１５をかしめるためのフランジ部１６の円弧長さは、かしめ片１５の帯長さと等しく、また挿入止め部１１の両端部はかしめ片１５の両端部に当接するように形成されている。またかしめ片１５は、フランジ部１６にかしめた際に、外側から中心側に折り曲げた折曲げ部分が、円弧に沿って等幅となるように形成されている。すなわち、かしめ片１５は、中心側への絞り込みによる片材の余剰分を考慮して、中央部の帯高さが両端部よりも多少低くなるように、また、両端部が斜辺となるように予め肉抜き形成されている。
【００１１】
上記構成の同軸ケーブル接栓の取付構造においては、端子パネル２のかしめ片１５とフランジ部１６とを一致させながら、端子パネル２の取付孔３に同軸ケーブル接続部１２の基端に設けられたフランジ部１６を挿入し、端子パネル２に挿入止め部１１の座面を当接して、同軸ケーブル接栓１０の基端を取付孔３から頭出しした状態で挿入止めする。そして、かしめ片１５をフランジ部１６にかしめて、かしめ片１５の内面をフランジ部１６の表面に密着させ、端子パネル２に対して同軸ケーブル接栓１０を軸線方向に締着し抜け止めする。同時に、かしめ片１５の両端部と挿入止め部１１の両端部とを当接させ、端子パネル２に対して同軸ケーブル接栓１０を軸線周りで回転止めする。
【００１２】
この構成によれば、かしめ片１５を、端子パネル２の取付孔３の周囲に突設したので、端子パネル２と同一材料でかしめ片１５を形成できる。よって、例えば端子パネル２の材料として鋼板を使用すれば、その鋼板の剛性や靱性等の材料特性をかしめ片１５に活かすことができ、ダイカスト製の同軸ケーブル接栓１０のかしめ強度を向上できる。また、かしめ片１５によるかしめだけの簡単な手間で、端子パネル２に同軸ケーブル接栓１０を取り付けることができる。また、かしめ片１５を円弧帯状に形成したので、コネクタの取付用工具等による回転トルクや側方から加えられる他の外力に対して倒れ難くでき、耐トルク性を向上できると共に同軸ケーブル接栓１０の緩みを防ぐことができる。よって、強固なかしめ状態を長期間維持することができる。
【００１３】
さらに、かしめ片１５の両端部を挿入止め部１１の両端部に当接するようにかしめたので、正逆転の両方向の回転力に対する同軸ケーブル接栓１０の回転止め強度、すなわち耐トルク性を向上できる。また、かしめ片１５をフランジ部１６にかしめた状態において、外側から中心側に折り曲げたかしめ片１５の折曲げ部分が等幅となるように、かしめ片１５を予め所要の肉抜き形状に形成したので、かしめ片１５のかしめ力をフランジ部１６に均等に加えることができる。
【００１４】
加えて、かしめ片１５の両端部を、孔中心に対してなす角度が略９０°となる位置に規定したので、最適なかしめ強度を得ると同時にかしめ部分の接触面積を所要量確保でき、外部導体としての同軸ケーブル接続部１２の接地特性を向上できる。
【００１５】
図２は、本発明の別の実施形態を示すものである。図２の実施形態において、円形の取付孔３の周囲に等間隔に円弧帯状のかしめ片１５ａを４つ突設し、フランジ部１６ａにかしめ片１５ａの両端部と当接する挿入止め部１１ａを４つ延設し、夫々のかしめ片１５ａをフランジ部１６ａにかしめることによって本発明は構成されている。この構成によれば、フランジ部１６ａにかしめるかしめ片１５ａのかしめ部分の接触面積を増加でき、かしめ強度をより向上できる。尚、本実施形態の他の構成、作用及び効果は、図１の実施形態と同様である。
【００１６】
図３は、本発明の別の実施形態を示すものである。図３の実施形態において、楕円形の取付孔３ａの曲率半径の小さい長径位置に取付孔３ａと同一の曲率で形成された弧帯状のかしめ片１５ｂを一対突設し、フランジ部１６ｂにかしめ片１５ｂの両端部と当接する挿入止め部１１ｂを２つ延設し、夫々のかしめ片１５ｂをフランジ部１６ｂにかしめることによって本発明は構成されている。この構成によれば、取付孔３ａを楕円形に形成し、かしめ片１５ｂを弧帯状に形成したので、耐トルク性をより向上できる。尚、本実施形態の他の構成、作用及び効果は、図１の実施形態と同様である。
【００１７】
尚、本発明は上記実施形態に限定されるものではなく、以下に例示するように、本発明の趣旨を逸脱しない範囲で各部の形状並びに構成を適宜に変更して実施することも可能である。
（１）取付孔を、円形、楕円形、正方形に限らず、長円形や三角形等の他の多角形で形成すること。
（２）かしめ片を、取付孔の周囲に２つ或いは４つ突設するだけでなく、３つ、５つ等複数突設し、フランジ部に夫々のかしめ片の両端部と当接する挿入止め部を延設すること。
（３）かしめ片の両端部を、位置規定角度θ１が略９０°となる位置に規定するだけでなく、略３０°、略４５°、略６０°等の他の角度となる位置に規定すること。
（４）かしめ片の両端部の位置規定角度θ１を、挿入止め部の両端部の位置規定角度θ２よりも小さくしても良い。
【００１８】
【発明の効果】
以上詳述したように、請求項１の発明によれば、端子パネルと同一材料でかしめ片を形成でき、例えば端子パネルの材料として鋼板を使用すれば、その鋼板の剛性や靱性等の材料特性をかしめ片に活かして、同軸ケーブル接栓のかしめ強度を向上できる。また、かしめ片によるかしめだけの簡単な手間で、端子パネルに同軸ケーブル接栓を取り付けることができる。
【００１９】
また、かしめ片を円弧帯状に形成して取付孔の周囲に突設したので、かしめ片を回転トルクや側方から加えられる他の外力に対して倒れ難くでき、耐トルク性を向上できると共に同軸ケーブル接栓の緩みを防ぐことができる。
【００２０】
請求項２の発明によれば、最適なかしめ強度を得ると共にかしめ部分の接触面積を所要量確保でき、外部導体としての同軸ケーブル接続部の接地特性を向上できる。
【図面の簡単な説明】
【図１】本発明の一実施形態を示し、（ａ）は同軸ケーブル接栓と端子パネルとの取付状態を示す取付説明図、（ｂ）は（ａ）のＡ−Ａ線断面図、（ｃ）は同Ｂ−Ｂ線断面図、（ｄ）は同Ｃ矢視図である。
【図２】本発明の別の実施形態を示す同軸ケーブル接栓の取付説明図である。
【図３】本発明の別の実施形態を示す同軸ケーブル接栓の取付説明図である。
【符号の説明】
２・・端子パネル、３，３ａ，３ｂ・・取付孔、１０・・同軸ケーブル接栓、１１，１１ａ，１１ｂ・・挿入止め部、１２・・同軸ケーブル接続部、１５，１５ａ，１５ｂ・・かしめ片、１６，１６ａ，１６ｂ・・フランジ部、２１・・絶縁体、２２・・中心導体。
【図１】
2004227912.tif 000003
【図２】
2004227912.tif 000004
【図３】
2004227912.tif 000005